(57)【特許請求の範囲】
【請求項１】
窓ガラスの内側（内気側）に、両面粘着テープを介して結露防止パネル部材が粘着され、以って結露が防止される窓ガラスの結露防止構造であって、
前記結露防止パネル部材は、透明性に優れたポリカーボネイト材から成る板状体であって、相対向するパネル面部間が仕切部を介して一定方向に中空部が形成され、かつ該中空部の両端開口部が密閉シールされて中空部内の空気が動かないように構成されおり、
前記両面粘着テープは、耐候性に優れ、かつ引っ張った場合に千切れることなく容易に伸長するゴム製基材の両面に粘着剤層とメッシュ状剥離補助部材が積層されて構成されており、
前記結露防止パネル部材における一方のパネル面部の周縁に沿って周縁毎に、前記各両面粘着テープの一方の粘着剤層がそのメッシュ状剥離補助部材を介し、かつ前記周縁毎の各隅部においては各両面粘着テープの端部が前記パネル面部よりもやや外側に出た状態でそれぞれ粘着され、
次いで、前記窓ガラスの内側（内気側）に、前記結露防止パネル部材がその前記両面粘着テープにおける他方の粘着剤層とメッシュ状剥離補助部材を介し、かつ前記窓ガラス面と前記他方のパネル面部との間に空間部を形成して粘着密閉され、
前記結露防止パネル部材における前記中空部と、前記結露防止パネル部材と前記窓ガラス面との間の空間部との二つの密閉空気層によって結露が防止される構成を特徴とする窓ガラスの結露防止構造。
【請求項２】
窓ガラスの内側（内気側）と外側（外気側）に、両面粘着テープを介して結露防止パネル部材が粘着され、以って結露が防止される窓ガラスの結露防止構造であって、
前記結露防止パネル部材は、透明性に優れたポリカーボネイト材から成る板状結露防止パネル部材と柔らかなフィルム状結露防止パネル部材を含み、これら結露防止パネル部材は、それぞれ相対向するパネル面部間が仕切部を介して一定方向に中空部が形成され、かつ該中空部の両端開口部が密閉シールされて中空部内の空気が動かないように構成されおり、
前記両面粘着テープは、耐候性に優れ、かつ引っ張った場合に千切れることなく容易に伸長するゴム製基材の両面に粘着剤層とメッシュ状剥離補助部材が積層されて構成されており、
前記板状結露防止パネル部材における一方のパネル面部の周縁に沿って周縁毎に、前記各両面粘着テープの一方の粘着剤層を介し、かつ前記周縁毎の各隅部においては各両面粘着テープの端部が前記パネル面部よりもやや外側に出た状態でそれぞれ粘着され、
次いで、前記窓ガラスの内側（内気側）に、前記結露防止パネル部材がその前記両面粘着テープにおける他方の粘着剤層を介し、かつ前記窓ガラス面と前記他方のパネル面部との間に空間部を形成して粘着密閉され、
前記窓ガラスの外側（外気側）には、前記フィルム状結露防止パネル部材が前記両面粘着テープを介し、かつ前記窓ガラス外側面との間に空間部を形成して粘着密閉され、
前記内側の板状結露防止パネル部材と前記外側のフィルム状結露パネル部材との二重粘着構造によって結露が防止される構成を特徴とする窓ガラスの結露防止構造。
【請求項３】
窓ガラスの内側（内気側）又は内側（内気側）と外側（外気側）との両側に、両面粘着テープを介して結露防止パネル部材が粘着され、以って結露が防止される窓ガラスの結露防止構造であって、
前記結露防止パネル部材は、空気が密閉された気泡状部が規則的又は不規則的に形成されたポリエチレン等の透明樹脂製気泡シートにして、かつその表裏両面のシート状パネル表面に梨地模様、レース模様等の意匠がエンボス加工により施されて構成されおり、
前記両面粘着テープは、耐候性に優れ、かつ引っ張った場合に千切れることなく容易に伸長するゴム製基材の両面に粘着剤層とメッシュ状剥離補助部材が積層されて構成されており、
前記結露防止パネル部材における一方のパネル面部の周縁に沿って周縁毎に、前記各両面粘着テープの一方の粘着剤層を介し、かつ前記周縁毎の各隅部においては各両面粘着テープの端部が前記パネル面部よりもやや外側に出た状態でそれぞれ粘着され、
次いで、前記窓ガラスの内側（内気側）又は内側（内気側）と外側（外気側）との両側に、前記結露防止パネル部材がその前記両面粘着テープにおける他方の粘着剤層を介し、かつ前記窓ガラス面と前記他方のパネル面部との間に空間部を形成して粘着密閉され、
前記内外側の結露防止パネル部材の二重粘着構造によって結露が防止される構成を特徴とする窓ガラスの結露防止構造。
【請求項４】
前記両面粘着テープは、ゴム製基材の両面に粘着剤層が設けられ、外側に向いた前記粘着剤層上にはメッシュ状剥離補助部材が積層されて成る一対のテープ体が、前記ゴム製基材よりもやや長めの相間剥離用のメッシュ状剥離補助部材を介し左右対称に粘着されて相間剥離テープとして構成され、
前記一方のテープ体の粘着剤層がメッシュ状剥離補助部材を介して前記結露防止パネル部材の周縁に粘着され、
前記他方のテープ体の粘着剤層がメッシュ状剥離補助部材を介して前記窓ガラスの内外面の周縁に粘着され、
前記内外の結露防止パネル部材の剥離時において、前記やや長めの相間剥離用のメッシュ状剥離補助部材だけが引っ張られることにより、前記一対のテープ体が腹割れ状態となって前記内外の結露防止パネル部材が剥離される構成を特徴とする請求項１から３いずれか１項の窓ガラスの結露防止構造。
【発明の詳細な説明】
【０００１】
【発明の属する技術分野】
本発明は、窓ガラスの内側（内気側）又は窓ガラスの内側（内気側）と外側（外気側）との両側に取り付けて結露を防止する窓ガラスの結露防止構造に関するものである。
【０００２】
【従来の技術】
従来、窓ガラスの結露防止構造としては、例えば、特開平６−２１０８０４号公報に記載のものが知られている。
【０００３】
【発明が解決しようとする課題】
この特開平６−２１０８０４号公報に記載の結露防止構造は、ガラス繊維や不織布等の基材に吸水性ポリマーを重合固着させて構成の結露防止シートを窓ガラスに取り付け、吸水性ポリマーにより水や水蒸気を吸収するようにしたものである。
【０００４】
ところで、この結露防止用シートを透明・非透明の窓ガラスに取り付けた場合には、窓ガラスが遮蔽状態となって室内を暗くして雰囲気を損ない、外観体裁上においても好ましい状態ではない。
【０００５】
又、この結露防止用シートは、結露した水分を吸水性ポリマーによって吸収するに止まり、結露自体の発生（外気と内気との温度差）を防止するものではない。
【０００６】
本発明は、このような従来における吸水性ポリマーを利用した結露防止技術の問題点を解決するためになされたもので、その目的とするところは、透明性において窓ガラスと一体感を有して窓ガラスの本来的機能を損なうことなく、結露自体の発生を防止することができる窓ガラスの結露防止構造を提供することにある。
【０００７】
【課題を解決するための手段】
この目的のため、本発明の請求項１に記載の窓ガラスの結露防止構造は、窓ガラスの内側（内気側）に、両面粘着テープを介して結露防止パネル部材が粘着され、以って結露が防止される窓ガラスの結露防止構造であって、前記結露防止パネル部材は、透明性に優れたポリカーボネイト材から成る板状体であって、相対向するパネル面部間が仕切部を介して一定方向に中空部が形成され、かつ該中空部の両端開口部が密閉シールされて中空部内の空気が動かないように構成されおり、前記両面粘着テープは、耐候性に優れ、かつ引っ張った場合に千切れることなく容易に伸長するゴム製基材の両面に粘着剤層とメッシュ状剥離補助部材が積層されて構成されており、前記結露防止パネル部材における一方のパネル面部の周縁に沿って周縁毎に、前記各両面粘着テープの一方の粘着剤層がそのメッシュ状剥離補助部材を介し、かつ前記周縁毎の各隅部においては各両面粘着テープの端部が前記パネル面部よりもやや外側に出た状態でそれぞれ粘着され、次いで、前記窓ガラスの内側（内気側）に、前記結露防止パネル部材がその前記両面粘着テープにおける他方の粘着剤層とメッシュ状剥離補助部材を介し、かつ前記窓ガラス面と前記他方のパネル面部との間に空間部を形成して粘着密閉され、前記結露防止パネル部材における前記中空部と、前記結露防止パネル部材と前記窓ガラス面との間の空間部との二つの密閉空気層によって結露が防止される構成を特徴とするものである。
【０００８】
本発明の請求項２に記載の窓ガラスの結露防止構造は、窓ガラスの内側（内気側）と外側（外気側）に、両面粘着テープを介して結露防止パネル部材が粘着され、以って結露が防止される窓ガラスの結露防止構造であって、前記結露防止パネル部材は、透明性に優れたポリカーボネイト材から成る板状結露防止パネル部材と柔らかなフィルム状結露防止パネル部材を含み、これら結露防止パネル部材は、それぞれ相対向するパネル面部間が仕切部を介して一定方向に中空部が形成され、かつ該中空部の両端開口部が密閉シールされて中空部内の空気が動かないように構成されおり、前記両面粘着テープは、耐候性に優れ、かつ引っ張った場合に千切れることなく容易に伸長するゴム製基材の両面に粘着剤層とメッシュ状剥離補助部材が積層されて構成されており、前記板状結露防止パネル部材における一方のパネル面部の周縁に沿って周縁毎に、前記各両面粘着テープの一方の粘着剤層を介し、かつ前記周縁毎の各隅部においては各両面粘着テープの端部が前記パネル面部よりもやや外側に出た状態でそれぞれ粘着され、次いで、前記窓ガラスの内側（内気側）に、前記結露防止パネル部材がその前記両面粘着テープにおける他方の粘着剤層を介し、かつ前記窓ガラス面と前記他方のパネル面部との間に空間部を形成して粘着密閉され、前記窓ガラスの外側（外気側）には、前記フィルム状結露防止パネル部材が前記両面粘着テープを介し、かつ前記窓ガラス外側面との間に空間部を形成して粘着密閉され、前記内側の板状結露防止パネル部材と前記外側のフィルム状結露パネル部材との二重粘着構造によって結露が防止される構成を特徴とするものである。
【０００９】
本発明の請求項３に記載の窓ガラスの結露防止構造は、窓ガラスの内側（内気側）又は内側（内気側）と外側（外気側）との両側に、両面粘着テープを介して結露防止パネル部材が粘着され、以って結露が防止される窓ガラスの結露防止構造であって、前記結露防止パネル部材は、空気が密閉された気泡状部が規則的又は不規則的に形成されたポリエチレン等の透明樹脂製気泡シートにして、かつその表裏両面のシート状パネル表面に梨地模様、レース模様等の意匠がエンボス加工により施されて構成されおり、前記両面粘着テープは、耐候性に優れ、かつ引っ張った場合に千切れることなく容易に伸長するゴム製基材の両面に粘着剤層とメッシュ状剥離補助部材が積層されて構成されており、前記結露防止パネル部材における一方のパネル面部の周縁に沿って周縁毎に、前記各両面粘着テープの一方の粘着剤層を介し、かつ前記周縁毎の各隅部においては各両面粘着テープの端部が前記パネル面部よりもやや外側に出た状態でそれぞれ粘着され、次いで、前記窓ガラスの内側（内気側）又は内側（内気側）と外側（外気側）との両側に、前記結露防止パネル部材がその前記両面粘着テープにおける他方の粘着剤層を介し、かつ前記窓ガラス面と前記他方のパネル面部との間に空間部を形成して粘着密閉され、前記内外側の結露防止パネル部材の二重粘着構造によって結露が防止される構成を特徴とするものである。
【００１０】
本発明の請求項４に記載の窓ガラスの結露防止構造は、前記両面粘着テープは、ゴム製基材の両面に粘着剤層が設けられ、外側に向いた前記粘着剤層上にはメッシュ状剥離補助部材が積層されて成る一対のテープ体が、前記ゴム製基材よりもやや長めの相間剥離用のメッシュ状剥離補助部材を介し左右対称に粘着されて相間剥離テープとして構成され、前記一方のテープ体の粘着剤層がメッシュ状剥離補助部材を介して前記結露防止パネル部材の周縁に粘着され、前記他方のテープ体の粘着剤層がメッシュ状剥離補助部材を介して前記窓ガラスの内外面の周縁に粘着され、前記内外の結露防止パネル部材の剥離時において、前記やや長めの相間剥離用のメッシュ状剥離補助部材だけが引っ張られることにより、前記一対のテープ体が腹割れ状態となって前記内外の結露防止パネル部材が剥離される構成を特徴とするものである。
【００１１】
【発明の実施の形態】
本発明の実施の形態について図面を参照し、その作用と共に説明する。
【００１２】
本発明に係る窓ガラスの結露防止構造は、窓ガラスの内側（内気側）又は内側（内気側）と外側（外気側）の両側に結露防止パネル部材を取り付けて、外気が室内に入るのを遮断し、外気と内気との温度差（１０〜１５℃）から生じる結露を防止するものであって、図１は本発明に係る結露防止構造の一例での窓ガラス内側から見た一部省略の正面図、図２は一部を省略して示す図１の部分拡大図、図３は図１の３−３線に沿った部分拡大断面図、図４は図１の４−４線に沿った部分拡大断面図、図５は結露防止パネル部材の一例を示す一部省略の正面図、図６は図５の６−６線に沿った部分拡大断面図、図７は図５の７−７線に沿った部分拡大断面図、図８は両面粘着テープの一例を示す一部省略の概略平面図、図９は図８の９−９線に沿った拡大断面図、図１０は両面粘着テープの他例を示す一部省略の概略平面図、図１１は図１０の１１−１１線に沿った拡大断面図、図１２は本発明に係る窓ガラスの結露防止構造の他例を示す一部省略の概略正面図で、窓ガラス内側の結露防止パネル部材は図面の表示を簡潔にする目的で図示を省略してある。図１３は本発明に係る窓ガラスの結露防止構造の他例を示す一部省略の部分拡大断面、図１４は本発明に係る窓ガラスの結露防止構造において用いられる結露防止パネル部材の更なる他例を示す一部省略の部分平面図、図１５は図１４の部分拡大断面図である。
【００１３】
図１において、窓枠を省略して示す窓ガラス２０の内側（内気側）面の周囲に両面粘着テープを介して結露防止パネル部材が取り付けられている。
【００１４】
結露防止パネル部材３０は透明性・耐候性・耐熱性に優れ、燃えても自消性を有する等の特性を持ったポリカーボネート材から成る板状体であって、取り付けられる窓ガラス２０の大きさよりもやや小さい相似形を有している。
【００１５】
この結露防止パネル部材３０は、その相対向するパネル面部３１、３２間が、適宜数の仕切部３３を介して一定方向に等間隔で中空部３４が形成され、かつ各中空部の両端開口部が熱シール等により密閉シール部３５とされて、各中空部３４内の空気が動かないようにされている。
【００１６】
このように構成された結露防止パネル部材３０は、それ自体で冷気域を小さくして結露を防止する機能がある。
【００１７】
即ち、外気と接する建築物の窓ガラス側や壁面側等が寒く感じることはそこに冷気域があるからであって、結露防止パネル部材３０は、このような冷気域を小さくする効果があり、冷気域が小さくなるということは、冷たい外気が室内に入るのを遮断して内外気の温度差を小さくすることであって、これにより結露が防止されることになる。
【００１８】
冷気域は、結露防止パネル部材３０の全体の厚みＤが厚ければ厚い程、又パネル面部３１、３２の厚みｄが厚ければ厚い程、各中空部３４内の空気が動かないため、冷気域は小さくなって結露防止効果は顕著となる。
【００１９】
因みに、結露防止パネル部材３０は、その全体の厚さＤが３〜９mm、パネル面部３１、３２の厚さｄが０．３〜０．５mmのものが好ましい。
【００２０】
結露防止パネル部材３０を取り付けている両面粘着テープ４０は、図８から図１１に例示されているように、耐候性に優れ、かつ引っ張った場合に千切れることなく容易に伸長するゴム製基材４１の両面に粘着剤層４２とポリエステル等の樹脂材から成るメッシュ状剥離補助部材４３及び剥離紙４４が積層加工され、適宜の厚さを有して構成されている。
【００２１】
そして、両面粘着テープ４０は、その一方の粘着剤層４２がメッシュ状剥離補助部材４３を介して結露防止パネル部材３０の周縁（四辺）にそれぞれ分離し、かつ各隅部においては、縦横の両面粘着テープ４０の各端部が当接して恰も一体的に粘着されたような態様をもって粘着されるとともに、図１及び図２に示されているように、各縦横それぞれの両面粘着テープ４０におけるゴム製基材４１だけが結露防止パネル部材３０のパネル面部３１（３２）よりも僅かに外側に出た状態をもって取り付けられ、これらの出ているゴム製基材４１の端部４１ａが、後述する結露防止バネル部材３０を窓ガラス２０より剥がす際の摘み部分となっている。
【００２２】
次いで、窓ガラス２０の内側（内気側）に、結露防止パネル部材３０が両面粘着テープ４０における他方の粘着剤層４２とメッシュ状剥離補助部材４３を介し、かつ窓ガラス面と結露防止パネル部材３０のパネル面部３２との間に空間部５０を形成して粘着密閉される。
【００２３】
この窓ガラス２０への粘着取り付けにおいて、結露防止パネル部材３０はポリカーボネイト製であって、伸縮が小さく、寸法安定性があるが、さらなる安定性の観点から、伸縮により結露防止パネル部材３０が窓ガラス２０から外れないようにするため、窓ガラス２０の周囲に遊び幅２１をとって取り付け施工される。
【００２４】
窓ガラス２０の内側（内気側）に結露防止パネル部材３０が取り付けられた状態において、外気は結露防止パネル部材３０における各中空部３４内の動かない空気層と、窓ガラス２０と結露防止パネル部材３０との空間部５０内の動かない空気層とにより遮断されて、室内には伝わらず、冷気域が小さくなって（外気と内気との温度差が小さくなる）結露が防止される。
【００２５】
結露防止パネル部材３０を窓ガラス２０より剥がす必要が生じた場合には、各両面粘着テープ４０におけるゴム製基材４１の端部４１ａを持って外方に引っ張れば、ゴム製基材４１が容易に伸長して、テープ幅が次第に狭くなり、かつ結露防止パネル部材３０及び窓ガラス２０との粘着面は、各メッシュ状剥離補助部材４３の網目から出ている粘着剤をもって粘着されていて粘着面積は小さくなっているから、メッシュ状剥離補助部材４３の作用により窓ガラス２０から結露防止パネル部材３０を容易に剥がすことができる。
【００２６】
両面粘着テープは、図８及び図９に示された両面粘着テープ４０に代えて図１０及び図１１に示された相間剥離テープとして構成された両面粘着テープ６０を用いることもできる。
【００２７】
両面粘着テープ６０は、一対のテープ体６１により相間剥離用のメッシュ状剥離補助部材６６がサンドイッチ状に挟まれ、その一方の端部６６ａが一対のテープ体６１の端よりもやや突出させて構成されている。
【００２８】
一対のテープ体６１は、ゴム製基材６２の両面に粘着剤層６３が設けられ、それぞれ外側に向いた粘着剤層６３上にはメッシュ状剥離補助部材６４と剥離紙６５が積層されて形成され、内側に向いたそれぞれの粘着剤層６３が相間剥離用のメッシュ状剥離補助部材６６の両面に粘着されて相間剥離の両面粘着テープ６０とされている。
【００２９】
この両面粘着テープ６０による結露防止パネル部材３０の取り付けは、特に図示しないが、一方のテープ体６１における粘着剤層６３が前記両面粘着テープ４０による場合と同様にして結露防止パネル部材３０の周囲に粘着され、次いで、他方のテープ体６１における粘着剤層６３が窓ガラス２０の内側（内気側）に空間部５０を形成して粘着密閉される。
【００３０】
結露防止パネル部材３０を窓ガラス２０より剥がす必要が生じた場合には、各両面粘着テープ６０における相間剥離用のメッシュ状剥離補助部材６６の端部６６ａだけを持って外方に引っ張れば、一対のテープ体６１は腹割れ状態となって窓ガラス２０から結露防止パネル部材３０は分離される。しかる後、窓ガラス２０と結露防止パネル部材３０に粘着しているそれぞれのテープ体６１を除去すればよい。
【００３１】
図１２及び図１３は、本発明に係る窓ガラスの結露防止構造の他例であって、本例は、窓ガラスの内側（内気側）と外側（外気側）との両面に結露防止パネル部材がそれぞれ粘着されることにより、特に寒さの強い寒冷地において、高い結露防止効果が得られるものである。
【００３２】
図１２は、窓ガラス２０の内側の結露防止パネル部材３０は図面の表示を簡潔にする目的で図示を省略してある。
【００３３】
この図１２において、窓ガラス２０の外側（外気側）には結露防止パネル部材７０が両面粘着テープ４０（又は両面粘着テープ６０）を介し、かつ空間部５０を有して粘着密閉されている。
【００３４】
結露防止パネル部材７０は、ポリカーボネイト材から成る柔らかなフィルム状であって、構成上においては、前記板状の結露防止パネル部材３０と同じであり、ただ硬い板状体か、柔らかなフィルム状体かの相違のみである。
【００３５】
よって、構成についての説明は省略する。又、この結露防止パネル部材７０の両面粘着テープ４０（又は両面粘着テープ６０）による窓ガラス２０の外側（外気側）への取り付け、又は取り外しは前記結露防止パネル部材３０による場合と同じであるため、その詳細な説明は省略する。
【００３６】
ただ、窓ガラス２０の外側（外気側）に取り付けられる結露防止パネル部材が、板状体でなくフィルム状の結露防止パネル部材７０とされているのは、外部の強風等で飛ばされたとしても、板状体とは異なって危険ではないからである。
【００３７】
結露防止パネル部材７０は、前記のように窓ガラス２０の外側（外気側）の四辺に空間部５０を形成して粘着されるが、更に外部の強風等で飛ばされないようにするため、図１２に概略的に示されているように、結露防止パネル部材７０の一方の端７０ａは窓枠２２と構造物８０の端面とで内側（内気側）に挟み込まれて取り付けられている。
【００３８】
図１４及び図１５は、本発明に係る窓ガラスの結露防止構造において用いられる結露防止パネル部材の更なる他例を示したもので、この結露防止パネル部材８０は、全体がポリエチレン等の透明樹脂材から成り、表裏２枚のシート８１、８２と該シート８１、８２間に挟まれ高周波シールされて空気が密閉された気泡状部８４が規則的に又は不規則的に形成された中間シート８３から構成の空気を含んだ樹脂製気泡シート状体であって、シート８１、８２の表面には特に図示しないが、梨地模様、レース模様等の意匠がエンボス加工により施されている。
【００３９】
この結露防止パネル部材８０は、特に図示しないが、前記結露防止パネル部材３０、７０と同様にして、窓ガラス２０の内側（内気側）に、又は内側（内気側）と外側（外気側）との両側に前記同様にして、両面粘着テープ４０、６０を介し、かつ窓ガラス２０との間に空間部５０を設けて粘着密閉して取り付けられ、内側（内気側）又は内外両側の結露防止パネル部材８０における気泡状部８４内の動かない空気層と、内外それぞれの結露防止パネル部材８０と窓ガラス２０との空間部５０内の動かない空気層とにより外気は遮断されて、室内には伝わらず、冷気域が小さくなって（外気と内気との温度差が小さくなる）結露が防止される。
【００４０】
なお、梨地模様やレース模様等の意匠がエンボス加工さた本結露防止パネル部材８０によれば、室内雰囲気を高め得る。
【００４１】
【発明の効果】
しかして本発明によれば、従来のよな室内を暗くして雰囲気を損なうということはなくなって、透明性において窓ガラスと一体感を有して違和感がなく、窓ガラスの本来的機能を損なうことなく、結露自体の発生を防止することができる。
【００４２】
又、外気は内外に取り付けられた結露防止パネル部材における中空部内の動かない空気層と、窓ガラスと各結露防止パネル部材との空間部内の動かない空気層との二重乃至四重の空気層により遮断されて、室内には伝わらず、結露防止効果が格段と向上する。
【０４３】
又、従来のような吸水性ポリマーを使用する必要がないから、多量の水や水蒸気を吸収したときに吸水性ポリマーの脱落や移動がなく、室内等の環境向上に寄与し得る。
【図面の簡単な説明】
【図１】本発明に係る結露防止構造の一例での窓ガラス内側から見た一部省略の正面図である。
【図２】一部を省略して示す図１の部分拡大図である。
【図３】図１の３−３線に沿った部分拡大断面図である。
【図４】図１の４−４線に沿った部分拡大断面図である。
【図５】結露防止パネル部材の一例を示す一部省略の正面図である。
【図６】図５の６−６線に沿った部分拡大断面図である。
【図７】図５の７−７線に沿った部分拡大断面図である。
【図８】両面粘着テープの一例を示す一部省略の概略平面図である。
【図９】図８の９−９線に沿った拡大断面図である。
【図１０】両面粘着テープの他例を示す一部省略の概略平面図である。
【図１１】図１０の１１−１１線に沿った拡大断面図である。
【図１２】本発明に係る窓ガラスの結露防止構造の他例を示す一部省略の概略正面図で、窓ガラス内側の結露防止パネル部材は図面の表示を簡潔にする目的で図示を省略してある。
【図１３】本発明に係る窓ガラスの結露防止構造の他例を示す一部省略の部分拡大断面である。
【図１４】本発明に係る窓ガラスの結露防止構造において用いられる結露防止パネル部材の更なる他例を示す一部省略の部分平面図である。
【図１５】図１４の部分拡大断面図である。
【符号の説明】
２０    窓ガラス
３０    板状の結露防止パネル部材
３１、３２    パネル面部
３３    仕切部
３４    中空部
３５    密閉シール部
４０、６０    両面粘着テープ
４１、６２    ゴム製基材
４１ａ    端部
４２、６３    粘着剤層
４３、６４    メッシュ状剥離補助部材
６１    一対のテープ体
６６    相間剥離用のメッシュ状剥離補助部材
６６ａ    相間剥離用のメッシュ状剥離補助部材の端部
７０    フィルム状の結露防止パネル部材
８０    空気を含んだ樹脂製気泡シート状の結露防止パネル部材
【図１】
0003675801.tif 000002
【図２】
0003675801.tif 000003
【図３】
0003675801.tif 000004
【図４】
0003675801.tif 000005
【図５】
0003675801.tif 000006
【図６】
0003675801.tif 000007
【図７】
0003675801.tif 000008
【図８】
0003675801.tif 000009
【図９】
0003675801.tif 000010
【図１０】
0003675801.tif 000011
【図１１】
0003675801.tif 000012
【図１２】
0003675801.tif 000013
【図１３】
0003675801.tif 000014
【図１４】
0003675801.tif 000015
【図１５】
0003675801.tif 000016